【事件の表示】
　特願２００８−１５６７１３「消炎鎮痛外用剤」拒絶査定不服審判事件〔平成２１年１２月２４日出願公開、特開２００９−２９８７４１〕について、次のとおり審決する。
【結　論】
　本件審判の請求は、成り立たない。
【理　由】
第１　手続の経緯
　本願は、平成２０年６月１６日の出願であって、平成２５年３月１４日付けで拒絶の理由が通知され、同年５月１３日に意見書及び手続補正書が提出され、同年６月２７日付けで拒絶査定がされ、同年１０月２日に拒絶査定不服審判の請求がされ、同年１１月６日に手続補正書（方式）が提出されたものである。
　
第２　本願発明
　本願発明は、平成２５年５月１３日付け手続補正書により補正された特許請求の範囲の請求項１ないし５に記載された事項により特定されるものであり、その請求項１に係る発明は、以下のとおりのものである。
「薬効成分として、非ステロイド系消炎鎮痛剤、及びオキシブプロカイン又は薬学的に許容される塩類を含有してなる外用剤であって、薬物含有製剤全重量に対して非ステロイド系消炎鎮痛剤の含有量が０．１〜１０重量％であり、オキシブプロカイン又は薬学的に許容される塩類の含有量が０．０１〜６０重量％であり、且つ、非ステロイド系消炎鎮痛剤１重量部に対してオキシブプロカイン又は薬学的に許容される塩類を０．１〜１０重量部含有したことを特徴とする、前記外用剤。」（以下、この発明を「本願発明」という。）
　
第３　引用例の記載
　拒絶理由通知書において文献１として引用した、本願の出願日前に頒布された特開２００２−１２８６９９号公報（以下、「引用例１」という。）には以下の事項が記載されている。
１　特許請求の範囲の請求項１
　「非ステロイド性消炎鎮痛剤と、局所麻酔剤とを含有する、外用消炎鎮痛剤組成物。」
２　発明の詳細な説明
(１)　発明の属する技術の分野
　「本発明は、皮膚透過性が亢進された、非ステロイド性消炎鎮痛剤と局所麻酔剤とを含有する、外用消炎鎮痛剤組成物に関する。」（段落【０００１】）
(２)　従来の技術
　「現在、・・・非ステロイド性消炎鎮痛剤は、内用及び／又は外用剤として、広く使用されている。
　各種製剤の有効成分もしくは添加剤として使用される局所麻酔剤が、該化合物が主剤の皮膚透過性を亢進し、かつ、主剤の薬理効果をあげることは知られていない。」（段落【０００２】〜【０００３】）
(３)　発明が解決しようとする課題
　「本発明は、非ステロイド性消炎鎮痛剤の皮膚透過性を亢進させ、優れた薬理効果を発揮させるための、新規な外用消炎鎮痛剤組成物を提供することを課題とする。」（段落【０００４】）
(４)　課題を解決するための手段
ア　「本発明は、非ステロイド性消炎鎮痛剤と局所麻酔剤とを含有する、外用消炎鎮痛剤組成物である。」（段落【０００５】）
イ　「本発明の非ステロイド性消炎鎮痛剤としては、例えば、フルルビプロフェン、ケトプロフェン、イブプロフェン、プラノプロフェン、フェノプロフェンナトリウム、ナプロキセン、ラクチルフェネチジン、塩酸トラマドール、スプロフェン、アルミノプロフェン、チアプロフェン酸、ペンタゾシン、インドメタシン、ピロキシカム、ジクロフェナクナトリウム、ロキソプロフェンナトリウム等をあげることができ、好適には、ロキソプロフェンナトリウムである。」（段落【０００６】）
ウ　「本発明の局所麻酔剤としては、医薬品もしくは医薬品添加物として通常使用されるものであれば、特に制限はないが、アミノ安息香酸エチル、塩酸オキシブプロカイン、塩酸ジブカイン、塩酸テトラカイン、塩酸パラブチルアミノ安息香酸ジエチルアミノエチル、塩酸ブピバカイン、塩酸プロカイン、塩酸プロピトカイン、塩酸メピバカイン、オキセサゼイン、ピペリジノアセチルアミノ安息香酸エチル、塩酸リドカイン等をあげることができ、好適には、塩酸リドカイン、塩酸ジブカインである。」（段落【０００７】）
(５)　発明の実施の形態
　「本発明の外用消炎鎮痛剤組成物の具体的な剤形としては、例えば、液剤、クリーム剤、軟膏剤、ゲル剤、貼付剤、エアゾール剤等をあげることができ、・・・」（段落【０００９】）
(６)　実施例
ア　実施例　１
　「ヒト皮膚組織モデルを用いた皮膚透過性の評価試験
　市販のヒト皮膚再構築モデルＴＥＳＴＳＫＩＮ（・・・）を購入後１日、３７℃で、インキュベーター内に保存した。試験当日、組織トレイよりトランスウェルを取りだし、シリコンを塗布したアッセイリングを接着させ、１．２ｍｌのアッセイ培地（生理食塩水又は４０％ポリエチレングリコール４００（以後、ＰＥＧと称す））を入れたアッセイトレイに移した。
　薬液１００μｌ（塩酸リドカインの場合、生理食塩水中、ロキソプロフェンナトリウムを２重量％、並びに、塩酸リドカインを０ｍｇ／ｍｌ、５ｍｇ／ｍｌ又は５０ｍｇ／ｍｌを含有、塩酸ジブカインの場合、ＰＥＧ溶液中、ロキソプロフェンナトリウムを２重量％、並びに、塩酸ジブカインを０ｍｇ／ｍｌ、０．５ｍｇ／ｍｌ、５ｍｇ／ｍｌを含有する）をアッセイリング内に注入した。３時間後、組織下のアッセイ培地を０．４ｍｌ採取し、測定用試料とした。
　測定用試料を、下記ＨＰＬＣ条件で示す移動相で１０倍に希釈し、内標準液と１：１で混和し、下記ＨＰＬＣ条件下、ロキソプロフェンの量を測定した。結果を表１に示す。
（ＨＰＬＣ条件）・・・
【表１】
――――――――――――――――――――――――――――――
　塩酸リドカインの添加量　　　　　３時間後における透過量比
　　　　（ｍｇ／ｍｌ）
――――――――――――――――――――――――――――――
　　　　　　　０　　　　　　　　　　　　　　１００
　　　　　　　５　　　　　　　　　　　　　　２２０
　　　　　　５０　　　　　　　　　　　　　　８１８
――――――――――――――――――――――――――――――
【表２】
――――――――――――――――――――――――――――――
　塩酸ジブカインの添加量　　　　　３時間後における透過量比
　　　　（ｍｇ／ｍｌ）
――――――――――――――――――――――――――――――
　　　　　　　０　　　　　　　　　　　　　　１００
　　　　　　　０．５　　　　　　　　　　　　１００
　　　　　　　５　　　　　　　　　　　　　　３３６
――――――――――――――――――――――――――――――」（段落【００１３】〜【００１７】）
イ　実施例２
　「液剤
（１）成分及び分量
　ロキソプロフェンナトリウム　　　　　　　　　　　３．０ｇ
　塩酸リドカイン　　　　　　　　　　　　　　　　　２．０ｇ
　ｐＨ調節剤（水酸化ナトリウム）　　　　　　　　　　適量
　防腐剤（パラオキシ安息香酸メチル）　　　　　　　０．３ｇ
　溶剤１（エタノール）　　　　　　　　　　　　　４５．０ｇ
　溶剤２（精製水）　　　　　　　　　　　　　　　　　適量
――――――――――――――――――――――――――――――
　　　　　　　　　　　　　　　　　　　　　　　１００．０ｇ」（段落【００１７】）
ウ　実施例３
　「クリーム剤
（１）成分及び分量
　ロキソプロフェンナトリウム　　　　　　　　　　　　３．０ｇ
　塩酸リドカイン　　　　　　　　　　　　　　　　　　２．０ｇ
　乳化剤１（イソステアリン酸コレステリル）　　　　　１．０ｇ
　乳化剤２（α−モノステアリルグリセリルエーテル）　２．０ｇ
　湿潤剤（グリセリン）　　　　　　　　　　　　　　１０．０ｇ
　ｐＨ調節剤（水酸化ナトリウム）　　　　　　　　　　　適量
　防腐剤（パラオキシ安息香酸メチル）　　　　　　　　０．３ｇ
　基剤１（グリセリン脂肪酸エステル）　　　　　　　１６．０ｇ
　基剤２（パルミチン酸イソプロピル）　　　　　　　　６．０ｇ
　基剤３（合成スクワラン）　　　　　　　　　　　　　５．０ｇ
　基剤４（精製水）　　　　　　　　　　　　　　　　　　適量
―――――――――――――――――――――――――――――――
　　　　　　　　　　　　　　　　　　　　　　　　１００．０ｇ」（段落【００１７】）
エ　実施例４
　「軟膏剤
（１）成分及び分量
　ロキソプロフェンナトリウム　　　　　　　　　　３．０ｇ
　塩酸リドカイン　　　　　　　　　　　　　　　　２．０ｇ
　粘稠剤（軽質無水ケイ酸）　　　　　　　　　　　１．５ｇ
　基剤１（白色ワセリン）　　　　　　　　　　　１０．０ｇ
　基剤２（ゲル化炭化水素）　　　　　　　　　　　　適量
―――――――――――――――――――――――――――――
　　　　　　　　　　　　　　　　　　　　　　１００．０ｇ」（段落【００１７】）
オ　実施例５
　「ゲル製剤
（１）成分及び分量
　ロキソプロフェンナトリウム　　　　　　　　　　３．０ｇ
　塩酸リドカイン　　　　　　　　　　　　　　　　２．０ｇ
　粘稠剤１（カルボキシビニルポリマー）　　　　　１．２ｇ
　粘稠剤２（ヒドロキシプロピルセルロース）　　　１．５ｇ
　ｐＨ調節剤（水酸化ナトリウム）　　　　　　　　　適量
　溶剤１（エタノール）　　　　　　　　　　　　４５．０ｇ
　溶剤２（精製水）　　　　　　　　　　　　　　　　適量
―――――――――――――――――――――――――――――
　　　　　　　　　　　　　　　　　　　　　　１００．０ｇ」（段落【００１７】）
カ　実施例６
　「貼付剤
（１）成分及び分量
　本剤１，０００ｃｍ２（膏体１００ｇ）中
　　ロキソプロフェンナトリウム　　　　　　　　　３．０ｇ
　　塩酸リドカイン　　　　　　　　　　　　　　　２．０ｇ
　　界面活性剤１（ポリソルベート８０）　　　　　０．３ｇ
　　界面活性剤２（セスキオレイン酸ソルビタン）　０．２ｇ
　　湿潤剤（濃グリセリン）　　　　　　　　　　２２．０ｇ
　　ｐＨ調節剤（水酸化ナトリウム）　　　　　　　　適量
　　粘着剤１（ポリアクリル酸ナトリウム）　　　　６．０ｇ
　　粘着剤２（アクリル酸メチル・アクリル酸−　　５．０ｇ
　　　　　　　２−エチルヘキシル共重合樹脂エマルジョン）
　　基剤１（カオリン）　　　　　　　　　　　　　２．５ｇ
　　基剤２（アクリル酸デンプン３００）　　　　　６．０ｇ
　　基剤３（精製水）　　　　　　　　　　　　　　　適量
―――――――――――――――――――――――――――――
　　　　　　　　　　　　　　　　　　　　　　１００．０ｇ
　支持体　不織布　　　　　　　　　　　　　　１０００ｃｍ２
　ライナー　ポリプロピレンフィルム　　　　　１０００ｃｍ２」（段落【００１７】）
キ　実施例７
　「スプレー剤
（１）成分及び分量（原液）
　ロキソプロフェンナトリウム　　　　　　　３．０ｇ
　塩酸リドカイン　　　　　　　　　　　　　２．０ｇ
　ｐＨ調節剤（水酸化ナトリウム）　　　　　　適量
　防腐剤（パラオキシ安息香酸メチル）　　　０．３ｇ
　溶剤１（エタノール）　　　　　　　　　４５．０ｇ
　溶剤２（精製水）　　　　　　　　　　　　　適量
――――――――――――――――――――――――――
　　　　　　　　　　　　　　　　　　　１００．０ｇ
○　原液／ガス比＝７０／３０
○　ガス（噴射剤）＝ＬＰＧ（プロパンとブタンの混合ガス）」（段落【００１７】）
ク　実施例８
　「液剤
（１）成分及び分量
　ロキソプロフェンナトリウム　　　　　　　　　　　３．０ｇ
　塩酸ジブカイン　　　　　　　　　　　　　　　　　１．０ｇ
　ｐＨ調節剤（水酸化ナトリウム）　　　　　　　　　　適量
　防腐剤（パラオキシ安息香酸メチル）　　　　　　　０．３ｇ
　溶剤１（エタノール）　　　　　　　　　　　　　４５．０ｇ
　溶剤２（精製水）　　　　　　　　　　　　　　　　　適量
――――――――――――――――――――――――――――――
　　　　　　　　　　　　　　　　　　　　　　　１００．０ｇ」（段落【００１７】）
ケ　実施例９
　「クリーム剤
（１）成分及び分量
　ロキソプロフェンナトリウム　　　　　　　　　　　　３．０ｇ
　塩酸ジブカイン　　　　　　　　　　　　　　　　　　１．０ｇ
　乳化剤１（イソステアリン酸コレステリル）　　　　　１．０ｇ
　乳化剤２（α−モノステアリルグリセリルエーテル）　２．０ｇ
　湿潤剤（グリセリン）　　　　　　　　　　　　　　１０．０ｇ
　ｐＨ調節剤（水酸化ナトリウム）　　　　　　　　　　　適量
　防腐剤（パラオキシ安息香酸メチル）　　　　　　　　０．３ｇ
　基剤１（グリセリン脂肪酸エステル）　　　　　　　１６．０ｇ
　基剤２（パルミチン酸イソプロピル）　　　　　　　　６．０ｇ
　基剤３（合成スクワラン）　　　　　　　　　　　　　５．０ｇ
　基剤４（精製水）　　　　　　　　　　　　　　　　　　適量
―――――――――――――――――――――――――――――――
　　　　　　　　　　　　　　　　　　　　　　　　１００．０ｇ」（段落【００１７】）
コ　実施例１０
　「軟膏剤
（１）成分及び分量
　ロキソプロフェンナトリウム　　　　　　　　　　３．０ｇ
　塩酸ジブカイン　　　　　　　　　　　　　　　　１．０ｇ
　粘稠剤（軽質無水ケイ酸）　　　　　　　　　　　１．５ｇ
　基剤１（白色ワセリン）　　　　　　　　　　　１０．０ｇ
　基剤２（ゲル化炭化水素）　　　　　　　　　　　　適量
―――――――――――――――――――――――――――――
　　　　　　　　　　　　　　　　　　　　　　１００．０ｇ」（段落【００１７】）
サ　実施例１１
　「ゲル製剤
（１）成分及び分量
　ロキソプロフェンナトリウム　　　　　　　　　　３．０ｇ
　塩酸ジブカイン　　　　　　　　　　　　　　　　１．０ｇ
　粘稠剤１（カルボキシビニルポリマー）　　　　　１．２ｇ
　粘稠剤２（ヒドロキシプロピルセルロース）　　　１．５ｇ
　ｐＨ調節剤（水酸化ナトリウム）　　　　　　　　　適量
　溶剤１（エタノール）　　　　　　　　　　　　４５．０ｇ
　溶剤２（精製水）　　　　　　　　　　　　　　　　適量
―――――――――――――――――――――――――――――
　　　　　　　　　　　　　　　　　　　　　　１００．０ｇ」（段落【００１７】）
シ　実施例１２
　「貼付剤
（１）成分及び分量
　本剤１，０００ｃｍ２（膏体１００ｇ）中
　　ロキソプロフェンナトリウム　　　　　　　　　　　　３．０ｇ
　　塩酸ジブカイン　　　　　　　　　　　　　　　　　　１．０ｇ
　　界面活性剤１（ポリソルベート８０）　　　　　　　　０．３ｇ
　　界面活性剤２（セスキオレイン酸ソルビタン）　　　　０．２ｇ
　　湿潤剤（濃グリセリン）　　　　　　　　　　　　　２２．０ｇ
　　ｐＨ調節剤（水酸化ナトリウム）　　　　　　　　　　　適量
　　粘着剤１（ポリアクリル酸ナトリウム）　　　　　　　６．０ｇ
　　粘着剤２（アクリル酸メチル・アクリル酸−　　　　　５．０ｇ
　　　　　　　２−エチルヘキシル共重合樹脂エマルジョン）
　　基剤１（カオリン）　　　　　　　　　　　　　　　　２．５ｇ
　　基剤２（アクリル酸デンプン３００）　　　　　　　　６．０ｇ
　　基剤３（精製水）　　　　　　　　　　　　　　　　　　適量
――――――――――――――――――――――――――――――――
　　　　　　　　　　　　　　　　　　　　　　　　　１００．０ｇ
　支持体　　不織布　　　　　　　　　　　　　　　　１０００ｃｍ２
　ライナー　ポリプロピレンフィルム　　　　　　　　１０００ｃｍ２」（段落【００１７】）
ス　実施例１３
　「スプレー剤
（１）成分及び分量（原液）
　ロキソプロフェンナトリウム　　　　　　　３．０ｇ
　没食子酸プロピル　　　　　　　　　　　　０．３ｇ
　塩酸ジブカイン　　　　　　　　　　　　　１．０ｇ
　防腐剤（パラオキシ安息香酸メチル）　　　０．３ｇ
　溶剤１（エタノール）　　　　　　　　　４５．０ｇ
　溶剤２（精製水）　　　　　　　　　　　　　適量
――――――――――――――――――――――――――
　　　　　　　　　　　　　　　　　　　１００．０ｇ
○　原液／ガス比＝７０／３０
○　ガス（噴射剤）＝ＬＰＧ（プロパンとブタンの混合ガス）」（段落【００１７】）
(７)　発明の効果
　「本発明の組成物は、主剤である非ステロイド性消炎鎮痛剤の皮膚透過性が亢進しており、優れた薬理効果を発揮するので、外用消炎鎮痛剤として有用である。」（段落【００１８】）
　
第４　当審の判断 
１　引用例１に記載された発明
　引用例１には、非ステロイド性消炎鎮痛剤と局所麻酔剤とを含有する、外用消炎鎮痛剤組成物についての発明が記載されている（前記第３の１、第３の２(１)及び第３の２(４)ア）。そして、実施例には、薬効成分としてロキソプロフェンナトリウム３．０ｇと塩酸リドカイン２．０ｇを含有し、全量が１００．０ｇである液剤（前記第３の２(６)イ）、薬効成分としてロキソプロフェンナトリウム３．０ｇと塩酸リドカイン２．０ｇを含有し、全量が１００．０ｇであるクリーム剤（前記第３の２(６)ウ）、薬効成分としてロキソプロフェンナトリウム３．０ｇと塩酸リドカイン２．０ｇを含有し、全量が１００．０ｇである軟膏剤（前記第３の２(６)エ）、薬効成分としてロキソプロフェンナトリウム３．０ｇと塩酸リドカイン２．０ｇを含有し、全量が１００．０ｇであるゲル製剤（前記第３の２(６)オ）、薬効成分としてロキソプロフェンナトリウム３．０ｇと塩酸リドカイン２．０ｇを含有し、全量が１００．０ｇである膏体を有する貼付剤（前記第３の２(６)カ）、薬効成分としてロキソプロフェンナトリウム３．０ｇと塩酸リドカイン２．０ｇを含有し、全量が１００．０ｇである原液を有するスプレー剤（前記第３の２(６)キ）が記載されているところ、これらのいずれの実施例も、薬物含有製剤全重量に対するロキソプロフェンナトリウムの含有量は３．０重量％であり、塩酸リドカインの含有量は２．０重量％であり、かつ、ロキソプロフェンナトリウム１重量部に対して塩酸リドカインを０．６７重量部含有するものである。さらに、引用例１には、薬効成分としてロキソプロフェンナトリウム３．０ｇと塩酸ジブカイン１．０ｇを含有し、全量が１００．０ｇである液剤（前記第３の２(６)ク）、薬効成分としてロキソプロフェンナトリウム３．０ｇと塩酸ジブカイン１．０ｇを含有し、全量が１００．０ｇであるクリーム剤（前記第３の２(６)ケ）、薬効成分としてロキソプロフェンナトリウム３．０ｇと塩酸ジブカイン１．０ｇを含有し、全量が１００．０ｇである軟膏剤（前記第３の２(６)コ）、薬効成分としてロキソプロフェンナトリウム３．０ｇと塩酸ジブカイン１．０ｇを含有し、全量が１００．０ｇであるゲル製剤（前記第３の２(６)サ）、薬効成分としてロキソプロフェンナトリウム３．０ｇと塩酸ジブカイン１．０ｇを含有し、全量が１００．０ｇである膏体を有する貼付剤（前記第３の２(６)シ）、薬効成分としてロキソプロフェンナトリウム３．０ｇと塩酸ジブカイン１．０ｇを含有し、全量が１００．０ｇである原液を有するスプレー剤（前記第３の２(６)ス）も記載されているところ、これらのいずれの実施例も、薬物含有製剤全重量に対するロキソプロフェンナトリウムの含有量は３．０重量％であり、塩酸ジブカインの含有量は１．０重量％であり、かつ、ロキソプロフェンナトリウム１重量部に対して塩酸ジブカインを０．３３重量部含有するものである。
　そして、これら実施例に記載された製剤（液剤、クリーム剤、軟膏剤、ゲル剤、貼付剤、スプレー剤）は、いずれも外用剤であり（前記第３の２(５)及び本願明細書の段落【００１５】）、また、塩酸リドカイン及び塩酸ジブカインはいずれも局所麻酔剤である（前記第３の２(４)ウ）ことから、引用例１には、「薬効成分として、ロキソプロフェンナトリウム及び局所麻酔剤として塩酸リドカイン又は塩酸ジブカインを含有する外用剤であって、薬物含有製剤全重量に対してロキソプロフェンナトリウムの含有量が３．０重量％であり、局所麻酔剤として塩酸リドカインを含有する外用剤の場合には、薬物含有製剤全重量に対して塩酸リドカインの含有量が２．０重量％であり、かつ、ロキソプロフェンナトリウム１重量部に対して塩酸リドカインを０．６７重量部含有し、局所麻酔剤として塩酸ジブカインを含有する外用剤の場合には、薬物含有製剤全重量に対して塩酸ジブカインの含有量が１．０重量％であり、かつ、ロキソプロフェンナトリウム１重量部に対して塩酸ジブカインを０．３３重量部含有する、外用剤」についての発明（以下、この発明を「引用発明」という。）が記載されているものと認められる。
　
２　本願発明と引用発明の対比 
　本願発明と引用発明を対比する。 
　本願発明におけるオキシブプロカインは局所麻酔剤である（本願明細書の段落【００２１】）。また、引用発明におけるロキソプロフェンナトリウムは非ステロイド性消炎鎮痛剤である（前記第３の２(４)イ）。そうしてみると、本願発明と引用発明は、
「薬効成分としてロキソプロフェンナトリウム及び局所麻酔剤を含有する外用剤であって、薬物含有製剤全重量に対してロキソプロフェンナトリウムの含有量が３．０重量％であり、局所麻酔剤の含有量が１．０又は２．０重量％であり、かつ、ロキソプロフェンナトリウム１重量部に対して局所麻酔剤を０．３３又は０．３７重量部含有する、外用剤。」である点において一致し、
上記局所麻酔剤が、本願発明では、「オキシブプロカイン又は薬学的に許容される塩類」であるのに対し、引用発明では、「塩酸リドカイン又は塩酸ジブカイン」である点において相違する。
　
３　相違点に対する判断 
　引用例１には、使用できる局所麻酔剤として塩酸オキシブプロカインが記載されている（前記第３の２(４)ウ）ことから、引用例１に接した当業者であれば、引用発明における局所麻酔剤を塩酸オキシブプロカインに置換した外用剤を想到することに格別の創意を要するものではない。
　そして、本願の明細書には、本願発明外用貼付剤を腰痛を有する男性ボランティアに患部に貼付し官能試験を実施したところ、本願発明貼付剤はオキシブプロカイン又は非ステロイド系消炎鎮痛剤を含有しない貼付剤と比較して腰痛に対する効果に差異が認められたことが記載されている（段落【００４４】〜【００４６】）。これに対して、引用例１は、「各種製剤の有効成分もしくは添加剤として使用される局所麻酔剤が、該化合物が主剤の皮膚透過性を亢進し、かつ、主剤の薬理効果をあげることは知られていない。」という従来技術（前記第３の２(２)）のもと、「非ステロイド性消炎鎮痛剤の皮膚透過性を亢進させ、優れた薬理効果を発揮させるための、新規な外用消炎鎮痛剤組成物を提供することを課題」とし（前記第３の２(３)）、ヒト皮膚組織モデルを用いた皮膚透過性の評価試験において、ロキソプロフェンナトリウムに塩酸リドカイン又は塩酸ジブカインを添加するとロキソプロフェンに透過量が増加するという試験結果（前記第３の２(６)ア）を根拠として、「本発明の組成物は、主剤である非ステロイド性消炎鎮痛剤の皮膚透過性が亢進しており、優れた薬理効果を発揮するので、外用消炎鎮痛剤として有用である。」という効果を述べている（前記第３の２(７)）。したがって、引用例１の記載より、ロキソプロフェンナトリウムに塩酸リドカイン又は塩酸ジブカインを併用した引用発明は、非ステロイド性消炎鎮痛剤であるロキソプロフェンナトリウムの薬理効果、すなわち消炎鎮痛効果があがっているものと理解できる。
　そうしてみると、非ステロイド系消炎鎮痛剤及びオキシブプロカイン又は薬学的に許容される塩類を含有する本願発明の外用剤が、ロキソプロフェンナトリウム及び塩酸リドカイン又は塩酸ジブカインを含有する引用発明の外用剤と比較して、有利な効果を有するものではない。また、本願明細書を検討しても、他に本願発明が引用発明と比較して有利な効果を示す具体的な結果は記載されておらず、本願発明がその効果の点において引用発明と比較して優れているということはできない。
　
４　審判請求人の主張について
　請求人は、オキシブプロカインは、眼科領域でしか適用のない局所麻酔薬で、皮膚をメインとする外用適用はなされていないので、オキシブプロカインを選択することを当業者が容易に採用しえたということはできない旨を主張する。しかし、引用例１には、そこに記載された発明において使用可能な局所麻酔剤として塩酸オキシブプロカインを明記している（前記第３の２(４)ウ）ので、仮にオキシブプロカインが眼科領域でしか適用のない局所麻酔薬であるとしても、そのことが、本願発明の容易想到性の判断に影響を与えるということはできない。また、本願発明は「外用剤」についての発明であり、その製剤の形態として液剤や懸濁剤を包含する（請求項５、段落【００１５】）ものであるが、眼科領域の薬剤の代表例である点眼剤も、液剤や懸濁剤である「外用剤」であることから、本願発明では特許請求の範囲の記載上、眼科領域での薬剤を排除するものではない。そうしてみると、請求人の主張は特許請求の範囲の記載に基づくものではなく、これを採用することはできない。
第５　むすび
　以上のとおりであるから、本願発明は、引用例１に記載された発明に基づいて当業者が容易に発明をすることができたものであるので、特許法第２９条第２項の規定により特許を受けることができない。
　したがって、他の請求項について検討するまでもなく、本願は拒絶すべきものである。
　よって、結論のとおり審決する。